(57)【特許請求の範囲】
【請求項１】
柱、間柱、梁、土台などの線材の見付面に取り付ける面材などの部材の表面上に、
固定具の固定箇所を示すための所定のピッチと、
確保すべき前記部材の端と前記固定具との縁端距離であって、前記ピッチ表示テープの巻き出し方向と直交する方向の縁端距離と、を、
前記面材などの部材の縁にピッチ表示テープの幅方向の一側縁を合わせて、前記縁に沿ってピッチ表示テープを貼り付けることで、前記ピッチと、前記縁端距離とを同時に規定可能なピッチ表示テープであって、
前記ピッチ表示テープの幅方向の少なくとも他側縁側に前記ピッチを規定するためのピッチ表示が設けられ、
前記ピッチ表示の位置かつ前記他側縁の位置に前記固定具が打ち込み可能に構成されることで、ピッチ表示テープの幅により前記縁端距離が特定可能に構成され、
前記ピッチ表示テープの裏面には、粘着層が設けられるとともに、前記粘着層は前記部材の表面から剥離可能に構成され、
前記ピッチ表示は、以下の（Ａ）（Ｂ）（Ｃ）の少なくとも一つ、或いは、二つ以上の組合せを有してなる、
（Ａ）前記ピッチ表示テープの巻き出し方向に等間隔で設けられ、かつ、各ピッチ表示が同一の表示である。
（Ｂ）第一のピッチを表示するための線状表示と点状マークからなる第一表示組と、前記第一のピッチの寸法とは異なる第二のピッチを表示するための線状表示と点状マークからなる第二表示組。
（Ｃ）第一のピッチを表示するための線状表示とピッチ数値からなる第三表示組と、前記第一のピッチの寸法とは異なる第二のピッチを表示するための線状表示とピッチ数値からなる第四表示組。
ピッチ表示テープ。
【請求項２】
柱、間柱、梁、土台などの線材の見付面に取り付ける面材などの部材の表面上に、
固定具の固定箇所を示すための所定のピッチと、
確保すべき前記部材の端と前記固定具との縁端距離であって、前記ピッチ表示テープの巻き出し方向と直交する方向の縁端距離と、を、
前記面材などの部材の縁にピッチ表示テープの幅方向の一側縁を合わせて、前記縁に沿ってピッチ表示テープを貼り付けることで、前記ピッチと、前記縁端距離とを同時に規定可能なピッチ表示テープであって、
前記ピッチ表示テープの長さ方向に前記ピッチを規定するための所定間隔のピッチ表示と、
前記ピッチ表示テープの幅方向に所定の間隔を空けて、テープの長さ方向に延びる複数のピッチラインと、
が設けられ、
前記ピッチ表示の位置かつ前記ピッチラインの位置に前記固定具が打ち込み可能に構成され、
前記ピッチ表示テープの裏面には、粘着層が設けられるとともに、前記粘着層は前記部材の表面から剥離可能に構成される、
ピッチ表示テープ。
【請求項３】
確保すべき前記部材の端と前記固定具との縁端距離であって、ピッチ表示テープの巻き出し方向の縁端距離とをさらに規定可能であり、
前記ピッチ表示テープの巻き出し方向の縁端距離を特定するための表示及び／又は、寸法メモリと、が設けられる、
ことを特徴とする請求項１又は請求項２に記載のピッチ表示テープ。
【請求項４】
柱、間柱、梁、土台などの線材の見付面に取り付ける面材などの部材の表面上に固定具の固定箇所を示すためのピッチ表示がテープの巻き出し方向に所定のピッチで設けられ、
確保すべき前記部材の端と前記固定具との縁端距離であって、前記巻き出し方向と直交する方向の縁端距離を、テープの幅により前記縁端距離が特定可能に構成されたピッチ表示テープを用いた部材の固定方法であって、
前記面材などの部材の縁にピッチ表示テープの幅方向の一側縁を合わせて、前記縁に沿ってピッチ表示テープを貼り付けるステップと、
貼り付けられた前記ピッチ表示テープの前記ピッチ表示の位置かつ前記他側縁の位置に対応する箇所に前記固定具を打ち込むステップと、を有する、
ピッチ表示テープを用いた部材の固定方法。
【請求項５】
請求項３に記載のピッチ表示テープを用い、面材などの部材を柱などの他の部材に固定する固定方法であって、
前記ピッチ表示の箇所に固定具を打ち込んで前記部材を前記他の部材に固定するものであり、
前記部材のピッチ表示テープの巻き出し方向の縁端距離を確保できる位置に前記ピッチ表示の位置を合せつつ、前記ピッチ表示テープを前記部材の表面に貼り付けるステップと、
貼り付けられた前記ピッチ表示テープの前記ピッチ表示に対応する箇所に前記固定具を打ち込むステップと、を有する、
ピッチ表示テープを用いた部材の固定方法。
【請求項６】
請求項１乃至請求項３のいずれか一項に記載のピッチ表示テープを用い、面材などの部材の縁にピッチ表示テープの幅方向の一側縁を合わせて、前記縁に沿ってピッチ表示テープを貼り付けることで前記ピッチ、及び、前記縁端距離を同時に規定する、ピッチ規定方法。
【発明の詳細な説明】
【技術分野】
【０００１】  本発明は、建物内外装の壁や床や天井、屋根等を構成する面材（パネル、板材等含む）を柱や梁等の部材に固定する方法に関連し、特に、固定する際に用いられるテープおよびそれを用いたマーキング方法に関する。
【背景技術】
【０００２】  従来、例えば特許文献１に開示されるように、柱や間柱に対し面材をビスにて留め付けることが行われている。【０００３】  このようにビスやくぎといった固定具を用いて面材を固定する場合には、耐震性能を確保するため、あるいは、美観を考慮して、所定のピッチ（間隔）でビスを打ち込む必要がある。
耐震性能、美観以外にも、面材には風圧、自重、積載等の多くの力が働くため、その力で面材や建物が損傷しないように、ビス等の固定具の長さや基準強度、太さ等に応じて設計された規定のピッチで正確に精度よく施工されることが極めて重要となる。【０００４】  また、面材をビス等の固定具で留めつける場合には、面材の端からビス等の固定具までの縁端距離は必要最低限の寸法を確保できないと、木質系の面材のでは繊維方向の割れを、無機系の部材では欠けなどの損傷を発生させてしまう。縁端距離は面材の損傷だけを考えれば、大きければ大きいほど損傷はしにくくなるが、取り付ける側の柱や梁等の寸法もあり、その部材と固定具の縁端距離の確保も必要になるため、設計等で規定した所定の寸法に正確に取り付けることが極めて重要となる。【０００５】以上のように、面材への固定具の留めつけでは、そのピッチおよび、縁端距離の表示は、正確に精度よく、効率よく施工することが、極めて重要なことである。ところが、実際の現場においては、作業者が面材に縁端距離の墨だし線を引いて、コンベックス等（物差、メジャー、巻尺など）の簡易ツールを用いて、マーキング（しるし付け）していくというもので、大きい面材や、数多くの面材を施工する場合には、マーキングの作業には時間と手間がかなりかかり、また、その精度にも問題があり、改善が求められている。【０００６】また、面材が仕上げ材や、意匠部材である場合は、跡の残るマーキングができないため、精度よくマーキングするは極めて困難な状況である。また、ピッチ等を間違えてビス等を施工してしまうと面材に貫通穴が形成されてしまうため、面材の固定をやり直しができないものである。そのため、仮に、面材の固定をやり直す場合には、面材を取り外し廃棄し、新たな面材を用いなければならないことになってしまう。このことからしても、規定のピッチで正確にマーキング作業を行うことは、極めて重要であるが、現状は、時間や手間を要する作業になっており、正確で後の残らないマーキング方法が求められている。これまで、面材の例について述べてきたが、面材に限らず、柱等の線材系の部材など、建築等で使用される部材に精度よくピッチ表示を行う場合は同様の課題が発生している。
【先行技術文献】
【特許文献】
【０００７】
【特許文献１】  特開２０１１−１７４３４７号公報
【発明の概要】
【発明が解決しようとする課題】
【０００８】  従来の面材へのマーキング方法は、まず、面材のコーナーに縦横２辺から縁端距離求めて交点をマーキングする。墨つぼ等の工具を用いて四隅のマーキングから４周の縁端距離の基準線（墨だし線）を引く。基準線（墨だし線）上にコンベックス等のスケールをあてて、基準線上に所定のピッチで固定具の取付位置をマーキングしていく。これが一般的な面材の４周固定の場合のマーキング方法である。この場合コンベックスで連続してマーキングする作業では、面材端部にコンベックスのＬ字フック部分をひっかけて基準線（墨だし線）にそわせて長く伸ばし、縁端距離とピッチを考えて、暗算しながら、コンベックスのメモリを読んで、連続してマーキングしていくという作業になる。ところがこの作業では、暗算しながらの作業のため、面材が長くなればなるほど間違えが発生しやすくなる。たとえば、縁端距離が２５ｍｍ、ピッチが１５０ｍｍの場合は、コンベックスのメモリの２５ｍｍ、１７５ｍｍ（＋１５０ｍｍずつ以降増えていく）、３２５ｍｍ、４７５ｍｍ、６２５ｍｍ・・・、のところにマーキングしていくことになるが、暗算しながらメモリを読んでマーキングしていくため、間違いが発生しやすくなり、また、時間も手間もかなり要する作業となる。【０００９】また、コンベックス等のスケールは面材に固定できるものではないので、長くなればなるほど、面材にひっかけているＬ字のフックの位置がずれたり、スケール表示部分が撓んだり、斜めになったり、フックが途中ではずれたりと、なかなか精度よく、効率よくマーキングできないのが現状である。普通の定規等の位置を固定できない（ずれやすい）ものでは、長さのある部分への連続的なマーキングを精度よく実施するのはほぼ不可能に近いものがある。
特に、大型の面材になるほど作業は困難を増すものになる。例えば、２メートルを超えるような高さ寸法（幅寸法）を有する面材について、面材を平置きしてマーキングをする場所が確保できない等の問題から、面材を柱や間柱に垂直に仮固定し、その上で、マーキングを行ってビス留めを行うことがあるが、その場合、コンベックス等を安定して面材にそわせながら連続してマーキングすることが難しいため、足場や脚立などを利用して二人作業での対応が必要になることもある。【００１０】  以上のように、発明者は、面材等の固定に関して、施工現場において、所定のピッチおよび縁端距離で正確に精度よく、効率的に固定具を取り付けることの難しさや、仕上げ材へのマーキングの難しさという課題を見出し、それに対して、本発明で面材等へのマーキング表示方法および固定に関する新規な技術を提案するものである。
【課題を解決するための手段】
【００１１】  本発明の解決しようとする課題は以上の如くであり、次にこの課題を解決するための手段を説明する。【００１２】  即ち、請求項１に記載のごとく、
柱、間柱、梁、土台などの線材の見付面に取り付ける面材などの部材の表面上に、
固定具の固定箇所を示すための所定のピッチと、
確保すべき前記部材の端と前記固定具との縁端距離であって、前記ピッチ表示テープの巻き出し方向と直交する方向の縁端距離と、を、
前記面材などの部材の縁にピッチ表示テープの幅方向の一側縁を合わせて、前記縁に沿ってピッチ表示テープを貼り付けることで、前記ピッチと、前記縁端距離とを同時に規定可能なピッチ表示テープであって、
前記ピッチ表示テープの幅方向の少なくとも他側縁側に前記ピッチを規定するためのピッチ表示が設けられ、
前記ピッチ表示の位置かつ前記他側縁の位置に前記固定具が打ち込み可能に構成されることで、ピッチ表示テープの幅により前記縁端距離が特定可能に構成され、
前記ピッチ表示テープの裏面には、粘着層が設けられるとともに、前記粘着層は前記部材の表面から剥離可能に構成され、
前記ピッチ表示は、以下の（Ａ）（Ｂ）（Ｃ）の少なくとも一つ、或いは、二つ以上の組合せを有してなる、
（Ａ）前記ピッチ表示テープの巻き出し方向に等間隔で設けられ、かつ、各ピッチ表示が同一の表示である。
（Ｂ）第一のピッチを表示するための線状表示と点状マークからなる第一表示組と、前記第一のピッチの寸法とは異なる第二のピッチを表示するための線状表示と点状マークからなる第二表示組。
（Ｃ）第一のピッチを表示するための線状表示とピッチ数値からなる第三表示組と、前記第一のピッチの寸法とは異なる第二のピッチを表示するための線状表示とピッチ数値からなる第四表示組。
ピッチ表示テープとする。これによって正確で精度の高いビス等の固定具の施工が可能となる。
前記ピッチ表示テープの裏面には、粘着層が設けられるとともに、前記粘着層は前記部材の表面から剥離可能に構成されるピッチ表示テープであり、これにより、まずテープを所定の位置に張り付けることで、メモリがずれたりすることがなくなり、より精度の高い施工が可能となる。また、剥離可能とすることでマーキングを残すことなく、固定具の施工が可能となり、仕上げ材にも対応できる。これについては、現在、建築現場で安価で、大変普及しているマスキングテープや養生テープのようなものを想定している。現状のマスキングテープや養生テープはある程度の粘着性があり、作業時にその位置を保持でき、はがしても接着面を傷つけずに、はがすことができるので、同程度の性能有するものがのぞましい。
前記ピッチ表示テープの幅は、縁端距離と同一とするピッチ表示テープで、これにより、前記の縁端距離と直角方向の片辺からの縁端距離も同時に精度よく、マーキング表示が可能となり、前記と組み合わせると２方向の縁端距離が表示可能となる。【００１３】  また、請求項２に記載のごとく、
柱、間柱、梁、土台などの線材の見付面に取り付ける面材などの部材の表面上に、
固定具の固定箇所を示すための所定のピッチと、
確保すべき前記部材の端と前記固定具との縁端距離であって、前記ピッチ表示テープの巻き出し方向と直交する方向の縁端距離と、を、
前記面材などの部材の縁にピッチ表示テープの幅方向の一側縁を合わせて、前記縁に沿ってピッチ表示テープを貼り付けることで、前記ピッチと、前記縁端距離とを同時に規定可能なピッチ表示テープであって、
前記ピッチ表示テープの長さ方向に前記ピッチを規定するための所定間隔のピッチ表示と、
前記ピッチ表示テープの幅方向に所定の間隔を空けて、テープの長さ方向に延びる複数のピッチラインと、
が設けられ、
前記ピッチ表示の位置かつ前記ピッチラインの位置に前記固定具が打ち込み可能に構成され、
前記ピッチ表示テープの裏面には、粘着層が設けられるとともに、前記粘着層は前記部材の表面から剥離可能に構成される、
ピッチ表示テープとする。
前記ピッチ表示テープの幅方向にも、ピッチ表示が所定の間隔で表示されるピッチ表示テープであり、１つの表示テープでは、幅方向に１つの縁端距離でしか対応できないのに対して、１つのテープで複数の幅方向の縁端距離の対応が可能となる。【００１４】  また、請求項３に記載のごとく、
確保すべき前記部材の端と前記固定具との縁端距離であって、ピッチ表示テープの巻き出し方向の縁端距離とをさらに規定可能であり、
前記ピッチ表示テープの巻き出し方向の縁端距離を特定するための表示及び／又は、寸法メモリと、が設けられる、こととする。
前記ピッチ表示に加え、確保すべき前記部材の端と固定具との縁端距離を特定するための表示、及び／又は、寸法メモリが設けられたピッチ表示テープで、これにより、面材片辺からの縁端距離も同時に精度よく、マーキング表示が可能となる。【００１５】  また、請求項４に記載のごとく、
柱、間柱、梁、土台などの線材の見付面に取り付ける面材などの部材の表面上に固定具の固定箇所を示すためのピッチ表示がテープの巻き出し方向に所定のピッチで設けられ、
確保すべき前記部材の端と前記固定具との縁端距離であって、前記巻き出し方向と直交する方向の縁端距離を、テープの幅により前記縁端距離が特定可能に構成されたピッチ表示テープを用いた部材の固定方法であって、
前記面材などの部材の縁にピッチ表示テープの幅方向の一側縁を合わせて、前記縁に沿ってピッチ表示テープを貼り付けるステップと、
貼り付けられた前記ピッチ表示テープの前記ピッチ表示の位置かつ前記他側縁の位置に対応する箇所に前記固定具を打ち込むステップと、を有する、
ピッチ表示テープを用いた部材の固定方法とする。
このようなピッチ表示テープを用いた部材の固定方法を実施することで、正確に精度よく、効率的に取り付けが可能となる。【００１６】  また、請求項５に記載のごとく、
請求項３に記載のピッチ表示テープを用い、面材などの部材を柱などの他の部材に固定する固定方法であって、
前記ピッチ表示の箇所に固定具を打ち込んで前記部材を前記他の部材に固定するものであり、
前記部材のピッチ表示テープの巻き出し方向の縁端距離を確保できる位置に前記ピッチ表示の位置を合せつつ、前記ピッチ表示テープを前記部材の表面に貼り付けるステップと、
貼り付けられた前記ピッチ表示テープの前記ピッチ表示に対応する箇所に前記固定具を打ち込むステップと、を有する、
ピッチ表示テープを用いた部材の固定方法とする。
このようなピッチ表示テープを用いた部材の固定方法を実施することで、正確に精度よく、効率的に取り付けが可能となる。【００１７】  また、請求項６に記載のごとく、
請求項１乃至請求項３のいずれか一項に記載のピッチ表示テープを用い、面材などの部材の縁にピッチ表示テープの幅方向の一側縁を合わせて、前記縁に沿ってピッチ表示テープを貼り付けることで前記ピッチ、及び、前記縁端距離を同時に規定する、ピッチ規定方法とする。
【発明の効果】
【００２０】  本発明によれば、部材の表面上に所定のピッチを容易に、かつ、正確に精度よく規定することができ、ピッチの寸法測定作業や施工時間の短縮化を図ることができる。また、テープ使用によって、面材等への直接の墨だしや、マーキングなどの作業が不要となり、ピッチ表示テープを剥離可能とすることで、仕上げにも影響はなく、これまでに難しかった仕上げ材への精度高い固定具の施工が可能となる。また、ピッチ表示テープの幅に関する配慮により縁端距離を簡単に正確に確保することもできる。
【図面の簡単な説明】
【００２１】
【図１】  本発明を耐震用の面材を用いた耐力壁構造について用いる実施例について説明する図。
【図２】  ピッチ表示テープの一実施例について示す図。
【図３】  ピッチ表示テープで１つのテープで複数のピッチ表示をした一実施例について示す図。
【図４】  ピッチ表示テープで幅方向にもピッチ表示した一実施例について示す図。
【図５】  面材の固定について説明する図。
【図６】  （Ａ）は縁端距離について説明する図。（Ｂ）はピッチ表示テープに表示される各ピッチ表示の位置により、固定箇所が特定されることについて説明する図。（Ｃ）は固定箇所に対応する位置に、ビスを打ち込むことについて説明する図。
【図７】  （Ａ）はピッチ表示テープの他の実施例について説明する図。（Ｂ）はピッチ表示テープの寸法メモリにて縁端距離を測定することについて説明する図。
【図８】  ビス打ち機を用いたビス固定の例について説明する図。
【発明を実施するための形態】
【００２２】  図１は、本発明を耐震用の面材を用いた耐力壁構造について用いる実施例について説明するものである。
図１において、柱１、間柱２、土台３、梁４の各木材の外側には耐震用の面材５が貼設される。この面材５の外側には、図示せぬ留め金具などを介して外装面材が配設される。
【００２３】  図１では二枚の面材５が示されており、右側の面材５の周辺縁部分には、ビスによる固定箇所が表示されるピッチ表示テープ１０が貼り付けられ、ビスによる固定がされる前の状態が示されている。
【００２４】  ピッチ表示テープ１０の表示に従ってビス７を打ち込み、その後、ピッチ表示テープ１０を剥がすことにより、左側の面材５に示すように、面材５が所定のピッチでビス７にて固定された状態となる。
【００２５】  図２は、ピッチ表示テープ１０の一実施例について示す図である。
ピッチ表示テープ１０は、基材層１１の裏面に粘着層１２を有して構成され、例えば、筒芯に巻かれた状態で提供されることができる。
【００２６】  粘着層１２は、面材の表面に貼った後、容易に剥がすことができ、また、剥がした後に再度貼り付けることができるように構成される（再利用できる）。また、粘着層１２は、剥がした後に粘着質が面材に残存しないものが適宜採用される。なお、粘着層１２は、例えば、ピッチ表示Ｐが配置される箇所のみ設けられることとしてもよい。つまり、粘着層１２がテープの巻き出し方向に点在させることもできる。
【００２７】  この種の「貼る」「剥がす」を繰り返すことができるテープとして、例えば、市販のマスキングテープが知られており、本発明の実施においてもこのマスキングテープの形態により実施可能である。このマスキングテープは、塗料、接着剤、シーリングなどの塗布エリアの境界部に予め貼着され、塗布作業の後に引き剥がされるものであり、塗布エリアの境界部を越えた塗料などのはみ出しを防ぐために用いられるもので安価のため、建築関係では、広く普及している。接着性（力）が比較的弱いため、はがす際に、面材、部材等の塗装や仕上げ材をはがす等の心配がなく、仕上げ面への適用に優れている。同様に安価、接着性（力）が比較的弱い等では、養生テープも適用に優れている。なお、粘着層１２を設けずに、接着テープ等を利用してピッチ表示テープ１０を面材５に留め付ける形で利用してもよい。
【００２８】  基材層１１の表面は、ビス、ネジ等の固定具の固定箇所を表示するための表示面１１ａとして機能する。表示面１１ａの上には、テープの長さ方向において所定の間隔Ｘｐ（ピッチ）ごとにピッチ表示Ｐが設けられている。
【００２９】  図２の例では、ピッチ表示Ｐがテープの幅方向に延びる線（ライン）にて構成されている。また、ピッチ表示Ｐの意味を説明するための説明付記表示Ｓが近傍に付記されており、図２の例では、隣り合うピッチ表示Ｐ，Ｐの間隔Ｘｐ（ピッチ幅）の寸法に対応する「１００ｍｍ」の表示がなされている。
【００３０】  ピッチ表示Ｐは、テープの幅方向に延びる線（ライン）にて構成するほか、矢印や、三角形など、各種記号とすることができ、特に限定されるものではない。
【００３１】  また、間隔Ｘｐ（ピッチ幅）については、例えば、「７５ｍｍ」、「１００ｍｍ」、「１５０ｍｍ」など各種の値が想定される。これら各種の間隔Ｘｐ（ピッチ幅）に応じたピッチ表示テープ１０を構成するほか、一つのピッチ表示テープ１０に、例えば、「７５ｍｍ」と「１００ｍｍ」の複数の間隔Ｘｐのピッチ表示Ｐを表示することとしてもよい。この場合、説明付記表示Ｓにて複数の間隔Ｘｐを識別可能とするほか、ピッチ表示Ｐや説明付記表示Ｓの色を間隔Ｘｐごとに異なるものを使用する、あるいはテープに表示するラインを実線、破線等の線種に間隔Ｘｐごとに異なるものを使用することで、より識別し易くすることも可能である。図３の例は、記号や線種や説明付記表示を併用して、１つのピッチ表示テープに３つのピッチ（Ｘｐ１＝１００ｍｍ、Ｘｐ２＝２００ｍｍ、Ｘｐ３＝３００ｍｍ）を表示した事例であり、表示パターンの組み合わせで、複数のピッチの組み合わせが可能となる。図３の例では、実線の縦ラインにて１００ｍｍピッチを表し、●マークと横点線で２００ｍｍピッチを表し、▲マークと横一点鎖線で３００ｍｍピッチを表すこととしている。
【００３２】  図４の例は、テープの長さ方向に延びるピッチラインＬ１，Ｌ２，Ｌ３を設けたもので、幅方向にも複数のピッチ表示をすることで、１つのピッチ表示テープで、複数の縁端距離に対応しようとするものである。
【００３３】  図５は、面材５の固定について説明する図である。この図５は、図１のＡ部分の拡大図であり、柱１と土台３に対する面材５の配置の関係が示されている。
【００３４】  図５において、柱１は幅１ｘを有し、面材５は柱１に対しかかり代５ｘを確保して固定される。同様に、土台３は幅３ｙを有し、面材５は土台３に対しかかり代５ｙを確保して固定される。
【００３５】  また、面材５の各固定箇所Ｑ０，Ｑｘ１，Ｑｙ１においては、面材５の割れや欠けの発生を防ぐため、面材５の端からの縁端距離を確保する必要がある。特に面材５が合板等の木材系である場合には縁端距離がないと繊維方向に割れが入りやすくなり、また、無機系の面材では縁端距離がないと欠けが生じ易くなり、各種性能や意匠性に問題が生じることになる。
【００３６】  この縁端距離について、固定箇所Ｑ０では、水平方向（矢印Ｘ方向）において縁端距離Ｈｘが確保され、高さ方向（矢印Ｙ方向）において縁端距離Ｈｙが確保される。同様に、固定箇所Ｑｘ１では高さ方向（矢印Ｙ方向）において縁端距離Ｈｙが確保され、固定箇所Ｑ０では水平方向（矢印Ｘ方向）において縁端距離Ｈｘが確保される。
【００３７】  図５において、水平方向（矢印Ｘ方向）においては、固定箇所Ｑ０から間隔Ｐｘを空けた位置に固定箇所Ｑｘ１が設定される。さらに、水平方向に間隔Ｐｘずれた位置に、次の固定箇所が設定される。つまり、間隔Ｐｘのピッチで順次固定箇所Ｑｘ１が設定されるものである。同様に、高さ方向（矢印Ｙ方向）においては、固定箇所Ｑ０から間隔Ｐｙを空けた位置に固定箇所Ｑｙ１が設定される。さらに、高さ方向に間隔Ｐｙずれた位置に、次の固定箇所が設定される。
【００３８】  この固定箇所の設定は、従来コンベックスやスケール等を用いて随時寸法計測をし、マーキングするといった手間を要するものであったが、本発明では以下のように実施することで、改善が図られるものである。
【実施例１】
【００３９】  図６に示す実施例１は、面材５の下縁５ｆにそって、間隔Ｐｘ（ピッチＰｘ）、下縁５ｆからの縁端距離Ｈｙ、縦縁５ｈからの縁端距離Ｈｘで、ビスを取り付けるための位置表示を行う実施例で、ピッチ表示テープ１０のテープ幅Ｗが、下縁５ｆからの縁端距離Ｈｙと同一とした実施例である。【００４０】  まず、縦縁５ｈを基準にスケールなどで計測し、高さ方向（矢印Ｘ方向）の縁端ラインＨＬをマーキングする。次いで、Ｘ方向には、この縁端ラインＨＬにピッチ表示Ｐを合せるようにし、また同時に、ピッチ表示テープ１０の下側縁１０ｆを面材５の下縁５ｆに合わせるようにしてピッチ表示テープ１０を配置する。その際、裏面が接着層の場合はそのまま貼り付け、接着層がないものは、別の接着テープ等で、部分的にピッチ表示テープ１０を固定していく。随時テープを巻き出しつつ貼り付け、固定を行って図６（Ｂ）の状態とする。このピッチ表示テープ１０の貼り付けは、面材５を柱などに仮固定した状態で行うほか、仮固定をする前に面材５に予め貼り付けておいてもよい。【００４１】  図６（Ｂ）に示すように、ピッチ表示テープ１０に表示される各ピッチ表示Ｐと上側縁１０ｕの位置により、固定箇所Ｑ０，Ｑｘ１，Ｑｘ２が特定される。即ち、スケールなどで計測しなくても、適切な縁端距離を確保して、互いに正確な間隔Ｐｘ（ピッチＰｘ）で配置された固定箇所Ｑ０，Ｑｘ１，Ｑｘ２を特定、明示することができる。【００４２】  そして、図６（Ｃ）に示すように、固定箇所Ｑ０，Ｑｘ１，Ｑｘ２に対応する位置に、ビス７を打ち込むことにより、面材５の固定を行うことができる。全てのビスを打ち込んだ後に、ピッチ表示テープ１０を剥がすことで作業を完了することができ、粘着質が残らないため、後処理の必要もない。【００４３】  以上のようにして、隣り合う固定箇所Ｑ０，Ｑｘ１，Ｑｘ２を間隔Ｐｘ（ピッチＰｘ）を計測せずに特定することができ、容易、かつ、短時間で固定作業を行うことができる。また、間隔Ｐｘ、縁端距離Ｈｘ，Ｈｙも正確であり、耐震性などの機能性や、意匠性も確保できる。【００４４】  なお、図６（Ｃ）の例では、ピッチ表示Ｐの上側縁１０ｕの部分をセンターとしてビス７を打ち込むことにしたが、縁端距離は最低限確保するものとし、ビス施工位置に多少の精度上の余裕（公差）が認められる場合は、ピッチ表示テープ１０の上側縁１０ｕのさらに内側で、テープとビスが干渉しない位置にビス７を打ち込むこととしてもよい。この場合は、テープをはがしやすく、テープの再使用も可能となる。【００４５】  また、ビス７をかわすための半円状の切り込みをピッチ表示Ｐの箇所に形成することとし、ピッチ表示テープ１０をスムーズに剥がせる構成としてもよい。或いは、ビス７を打ち込む箇所に丸穴（刳り貫き）が設けられることとしてもよい。また、ピッチ表示Ｐの位置にマーキングを行った後にピッチ表示テープ１０を剥がし、そのマーキングの位置にビスを打ち込むこととしてもよい。つまり、ピッチ表示テープ１０をビスの打ち込み前に剥がすのである。【００４６】  また、図６（Ｂ）では、水平方向（矢印Ｘ方向）にのみピッチ表示テープ１０を貼り付けたが、高さ方向（矢印Ｙ方向）についても同様に作業を行��ことができる。また、図６（Ａ）の縦縁５ｈ側からテープを引き伸ばして反対側の縦縁に向けて順次ピッチを特定していくことになるが、この反対側の縦縁に最も近い固定箇所についても縁端距離を確保する必要がある。このため、当該反対側の縦縁に最も近い固定箇所の一つ前の固定箇所のピッチについては、適宜任意に設定することになる。【００４７】  上記、実施例では、主に、面材等の縁端部分に位置表示をする方法のみを記述してきたが、ピッチ表示テープ１０は、面材の中央部分でも、面材に限らず柱、梁といった線材にも利用可能であり、方向は水平でなく、斜め方向でも利用可能である。ある基点から直線状に特定のピッチを計測、計算せず、マーキングせずに特定、明示したい場合に広範に利用できるものである。【００４８】  上記、実施例１では、ピッチ表示テープ１０は図２に示すテープの事例で考えてきたが、同様に図４の幅方向にピッチ表示したテープでも同じ方法で固定箇所の特定、明示が可能である。この場合、幅方向にもピッチが表示されているので、１つのテープで複数の縁端距離に対応が可能であり、また、繊維方向の割れ等を防ぐ目的で千鳥配置にビス等を施工することも可能となる。具体的には、ピッチ表示Ｐに加え、テープの長さ方向に延びるピッチラインＬ１，Ｌ２，Ｌ３を設ける等のものである。
【実施例２】
【００４９】  図７（Ａ）（Ｂ）に示す実施例２のピッチ表示テープ１０Ａでは、ピッチ表示Ｐに加え、ピッチ表示Ｐからの距離を特定するための寸法メモリＭが表示される構成としている。【００５０】  まず、図７（Ａ）に示すように、面材５の縦縁５ｈからの縁端距離Ｈｘを確認し、ピッチ表示テープ上のピッチ表示Ｐから縁端距離Ｈｘに相当する距離離れた位置合せ箇所Ｈｋを確認し、図７（Ｂ）に示すように、この位置合せ箇所Ｈｋを面材５の縦縁５ｈに合せ、実施例１と同様にテープ下側縁と面材の下縁をあわせ貼り付け、固定することで、ピッチ表示Ｐに対応する位置を固定箇所Ｑ０、Ｑｘ１，Ｑｘ２として特定することができる。【００５１】  寸法メモリＭは、例えば、ｍｍ単位、ｃｍ単位とすることができ、このような単位によれば、縁端距離の測定のみならず他の寸法計測用途においても利用できる。【００５２】  以上のように、本実施例によれば、ピッチ表示テープ１０Ａに表示された寸法メモリＭを利用することで、他のスケールなどの測定用具を使用することなく、また、一切のマーキングをすることなく、間隔Ｐｘ、縁端距離Ｈｘ，Ｈｙを正確に効率よく特定、明示できる。【００５３】  なお、高さ方向（矢印Ｙ方向）の縁端距離Ｈｙについては、実施例１と同様に、ピッチ表示テープ１０Ａの幅によって確保することができ、これにより、高さ方向（矢印Ｙ方向）の固定箇所Ｑ０の位置が特定される。【００５４】  また、寸法メモリＭはピッチ表示Ｐからの距離を特定するためのものであるため、図８に示すように、例えば、縁端距離Ｈｘが決められた値（例えば、２０ｍｍ，２５ｍｍなど）であることを想定し、この値に対応する箇所に縁端特定マークＭａ（図７（Ｃ）参照）が表示されることとしてもよい。【００５５】  この構成によれば、縁端距離Ｈｘの測定の手間も発生することが無く、優れた作業性を実現できる。図８の縁端特定マークＭａは単独で表示されるほか、図７（Ａ）の寸法メモリＭとともに表示されることとしてもよい。
【実施例３】
【００５６】  また、以上の各実施例において、図８に示すように、ビスや釘の打ち込み作業においてビス打ち機等を用いる場合には、釘打ち機の特定部分Ｔｚ（例えば、面材５の表面に突き当てる打ち出し先端分で筒状のほぼ楕円形状のクッションとなる部材（コンタクトトップ材）の縁部分）をピッチ表示テープ１０の上側縁１０ｕに合せるようにして作業をすることができる。ビス打ち機等を使用する場合、前記クッション部材がビス形状よりも比較的大きく、施工時にピッチ表示Ｐを隠してしまい見えにくくしてしまう場合がある。【００５７】  このことを想定し、特定部分Ｔｚから打ち込み位置Ｃまでの距離Ｈｃを考慮して、テープ幅Ｗの狭いピッチ表示テープ１０を用いることとしてもよい。【００５８】  より具体的には、ビス打ち機等の先端にはクッションとなる部材（コンタクトトップ材）がついており、ビス形状よりも大きいものが設置されている。そのため、テープ上の線が隠れてしまい、わかりにくくなるので、テープを部材が重なる幅だけ細くして、部材の左右端部を表示ピッチに合わせると自動的に、縁端距離が確保できるように細工しておくことで精度向上が図られる。具体的には、ピッチ表示テープの幅Ｗと、ビス打ち機等の先端の面材と接触する部材Ｋの幅寸法の半分Ｈｃと、を合計した際に、縁端距離Ｈｙと一致する大きさとする。また、この場合、ビス等の固定具とテープは干渉しないのでテープ損傷がなく、再使用に有効である。【００５９】  また、以上の実施例では面材の固定を例としたが、固定するものは面材のみではなく、他の各種部材の固定や、ビス／釘打ち箇所のピッチを規定する用途においても適用できる。例えば、柱に所定のピッチでマーキングをし、棚を組み付ける場合などにおいても応用できる。【００６０】  以上の各実施例にて説明したことから明らかなように、本発明は以下の点を特徴とするものである。
即ち、図１に示すように、
面材５などの部材の表面上に所定のピッチを規定するためのピッチ表示テープ１０であって、
表面には、テープの巻き出し方向において、ピッチ表示Ｐが所定の間隔Ｘｐで表示される。【００６１】  ピッチ表示テープ１０の裏面には、粘着層１２が設けられるとともに、粘着層１２は部材の表面から剥離可能に構成される、こととする。【００６２】  ピッチ表示テープ１０の幅は、確保すべき前記部材の端と固定具との縁端距離とを同一とする。【００６３】  また、別の形態として（図８）として、ピッチ表示テープの幅は、
ピッチ表示テープの幅Ｗと、ビス打ち機等の先端の面材と接触する部材Ｋの幅寸法の半分Ｈｃと、を合計した際に、縁端距離Ｈｙと一致する大きさとする。【００６４】  また、図３に示すように、ピッチ表示テープの幅方向にも、ピッチ表示が所定の間隔で表示されることとする。【００６５】  また、図７に示すように、ピッチ表示Ｐに加え、縁端距離を特定するための表示（縁端特定マークＭａ）、及び／又は、寸法メモリＭが設けられることとする。【００６６】  面材５などの部材を柱などの他の部材に固定する固定方法であって、
テープの巻き出し方向において、ピッチ表示Ｐが所定の間隔Ｘｐで表示されるピッチ表示テープ１０を用い、
ピッチ表示Ｐの箇所にビスなどの固定具を打ち込んで部材を他の部材に固定するものであり、
ピッチ表示テープ１０の裏面には、粘着層１２が設けられるとともに、粘着層１２は部材の表面から剥離可能に構成されることとし、
部材の縁端距離を確保できる位置にピッチ表示Ｐの位置を合せつつ、ピッチ表示テープ１０を部材の表面に貼り付けるステップと、
貼り付けられたピッチ表示テープ１０のピッチ表示Ｐに対応する箇所に固定具を打ち込むステップと、を有することとする。【００６７】  また、
ピッチ表示テープ１０は固定具を打ち込んだ後に剥がされる、
又は、
ピッチ表示テープ１０は固定具を打ち込む前に、ピッチ表示Ｐに対応する箇所にマーキングを行ったうえで剥がされ、マーキングに従って固定具が打ち込まれる、
こととする。【００６８】  面材５などの部材の表面上に所定のピッチを規定する方法であって、
テープの巻き出し方向において、ピッチ表示Ｐが所定の間隔Ｘｐで表示されるピッチ表示テープ１０を、
部材の表面に配置し、ピッチ表示Ｐに基づいてピッチを規定する、ピッチ規定方法とする。【００６９】  以上の構成によれば、部材の表面上に所定のピッチを容易に、かつ、正確に規定することができ、ピッチの寸法測定作業や施工時間の短縮化を図ることができる。また、ピッチ表示テープが剥離可能とすることで、部材の表面に粘着層が残存することなく、ピッチ表示テープを剥がした後の仕上げも不要であり、施工時間の短縮化が図られる。また、墨だしや、マーキングなどが不要であるため、部材が仕上げ品などであって、表面の意匠性が重要に場合にも好適に使用できる。また、ピッチ表示テープの幅により縁端距離を確保することもできる。
【符号の説明】
【００７０】  １    柱
２    間柱
３    土台
４    梁
５    面材
５ｆ  下縁
５ｈ  縦縁
７    ビス
１０    ピッチ表示テープ
１０ｆ    下側縁
１０ｕ    上側縁
Ｐ    固定箇所表示
Ｍ    寸法メモリ
Ｗ    テープ幅
Ｑ０    固定箇所
Ｑ１    固定箇所
Ｈｘ    縁端距離
Ｈｚ    縁端距離
【要約】
【課題】  面材などの固定の際に、固定具の取付ピッチを正確に精度よく効率的に表示し、面材などの固定を正確に行うことを可能とする技術を提案する。
【解決手段】  面材５などの部材を柱などの他の部材に固定する固定方法であって、テープの巻き出し方向において、ピッチ表示Ｐが所定の間隔Ｘｐで表示されるピッチ表示テープ１０を用い、ピッチ表示Ｐの箇所にビスなどの固定具を打ち込んで部材を他の部材に固定するものであり、ピッチ表示テープ１０の裏面には、粘着層１２が設けられるとともに、粘着層１２は部材の表面から剥離可能に構成されることとし、部材の縁端距離を確保できる位置にピッチ表示Ｐの位置を合せつつ、ピッチ表示テープ１０を部材の表面に貼り付けるステップと、貼り付けられたピッチ表示テープ１０のピッチ表示Ｐに対応する箇所に固定具を打ち込むステップと、を有することとする。
【選択図】図２【図１】
0005963100.tif 000002
【図２】
0005963100.tif 000003
【図３】
0005963100.tif 000004
【図４】
0005963100.tif 000005
【図５】
0005963100.tif 000006
【図６】
0005963100.tif 000007
【図７】
0005963100.tif 000008
【図８】
0005963100.tif 000009